(57)【要約】【課題】従来と同等の発電特性を得ながら、導体セグメントが収容されるスロットの深さを減少させ、それによってステータコアの外径を小さくすることができるステータを提供することを目的とする。【解決手段】回転電機のステータ２０は、ステータコア２１と、複数の導体セグメント３０，４０とから成る。ステータコアは、環状部２２と、複数のスロット２６を区画する複数の歯部２３とを有する。導体セグメントは一端のＵ字形状のターン部３１，４１と、他端の一対の接合部３６，３７，４６，４７と、スロットに収容された中間の一対の収容部３３，３４，４３，４４とを含む。各スロットの奥側２６ｂの円周方向長さは開口側２６ａの円周方向長さよりも長く、収容部４３，４４及び収容部３３，３４の円周方向長さはスロットの円周方向長さに対応している。【選択図】図２
2004159460.tif 000002
【特許請求の範囲】
【請求項１】
環状部と、該環状部の内周面から内向きに突出し複数のスロットを区画する複数の歯部とを有するステータコアと、
一端のＵ字形状のターン部、他端の一対の接合部、及び前記スロットに収容された中間の一対の収容部を含み松葉形状を有する複数本の導体セグメントと、から成る回転電機のステータにおいて、
各前記スロットの奥側の円周方向長さは開口側の円周方向長さよりも長く、奥側の前記収容部及び開口側の前記収容部の幅は該スロットの円周方向長さに対応していることを特徴とする回転電機のステータ。
【請求項２】
各前記歯部の円周方向長さは、その先端側から根本側にかけて一定である請求項１に記載のステータ。
【請求項３】
環状部と、該環状部の内周面から内向きに突出し複数のスロットを区画する複数の歯部とを有するステータコアと、
一端のＵ字形状のターン部、他端の一対の接合部、及び前記スロットに収容された中間の一対の収容部を含み松葉形状を有する複数本の導体セグメントと、から成る回転電機のステータにおいて、
該スロットの奥側の収容部の厚さは開口側の該収容部の厚さよりも短く、前記スロットの半径方向長さは最奥部の前記収容部に対応していることを特徴とする回転電機のステータ。
【請求項４】
前記スロットの奥側の収容部の幅は、開口側の前記収容部の幅よりも長く、前記スロットの一対の側壁面間の間隔は、複数の前記収容部の幅に対応している請求項３に記載の回転電機のステータ。
【請求項５】
前記スロット内で隣接する２つの前記収容部毎に同じ断面正方形状又は断面矩形状を持つ請求項４に記載のステータ。
【請求項６】
最も開口側の前記導体セグメントの２つの前記収容部は断面正方形状で、それ以外の前記導体セグメントの２つの前記収容部は幅が厚さよりも長い断面矩形状を持つ請求項５に記載のステータ。
【請求項７】
開口側の前記第１導体セグメントの２つの前記収容部と奥側の前記第２導体セグメントの２つの前記収容部とが同じ断面矩形状を持ち、該第１導体セグメントの収容部はその長辺が前記スロットの半径方向を向き、該第２導体セグメントの収容部はその長辺が円周方向を向いている請求項５に記載のステータ。
【請求項８】
複数の前記収容部は全て同じ断面積を持つ請求項６又は７に記載のステータ。
【発明の詳細な説明】
【０００１】
【発明の属する技術分野】
本発明は、回転電機のステータ、特にそのステータコアのスロットの形状、即ちスロットに収容される導体セグメントの一対の収容部の断面形状に関する。
【０００２】
【従来の技術】
回転電機の一種に車両用交流発電機（オルタネータ）がある。オルタネータはハウジング、ハウジングに固定され電機子として機能する固定子（ステータ）、ハウジングに回転可能に支持されかつステータと対向し界磁子として機能する回転子（ロータ）、及び交流電力を直流電力に変換する整流器から成る。
【０００３】
このうちステータは固定子鉄心（ステータコア）と固定子巻線（ステータコイル）とを含む。ステータコアは環状部（ヨーク）と、その内周面から内向きに突出し多数のスロットを区画する多数の歯部（ティース）とを有する。各スロット内に複数本のステータコイルが収容されている。
【０００４】
ステータコイルは種々の方法でスロット内に収容される。従来は連続した（１本の）ステータコイルを矩形パルス状に屈曲させ、ステータコアの一端面から突出した一端湾曲部と、他端面側から突出した他端湾曲部と、両者の間で軸方向に延びる接合部（収容部）を形成する。そして、この屈曲したステータコイルをステータコアのスロットに開口側から奥側に、即ち半径方向に挿入していた。その際、挿入を容易にする等の理由から、ステータコイルは断面丸形状であった。
【０００５】
近年、車両の電動化に伴い、オルタネータにはより大きな出力が要求され、出力を上げるためにはステータコイルの抵抗を減らすことが必要である。上記連続したしかも断面丸形状のステータコイルをスロットに挿入した場合、丸形状の収容部同士間や収容部とスロットの角部との間に隙間ができ、更に収容部の外径がスロットの開口部の大きさにより制約される等の不具合がある。
【０００６】
そこで本願の出願人は先に、ステータコイルを分割した多数の導体セグメントとすると共に、収容部の断面形状を角形（矩形状）としたステータを出願した（特許文献１参照）。
【０００７】
【特許文献１】
特開２００１−３７１３２号
【０００８】
【発明が解決しようとする課題】
図９に示す従来例では、２本の導体セグメント１１０及び１１５は全体として松葉形状を有し、それぞれ一対のほぼ断面正方形で同形状の収容部１１１、１１２及び１１６，１１７を含む。収容部１１１、１１２がステータコア１２０のスロット１２１の開口側に、収容部１１６，１１７がが奥側に収容されている。これに対応して、スロット１２１の幅は全深さにわたって均一とされている。その結果、歯部１２２の幅は先端側（内周側）で狭く、根元側（外周側）で広くなっている。
【０００９】
歯部１２２は磁力線の通路となるので、磁気回路の形成上は歯部１２２の幅は広い方が望ましい。しかるに、従来例では先端側の幅が狭い。先端側の幅を広くすると、スロット１２１の開口側の幅が狭くなり、先端側に収容される導体セグメント１１０の収容部１１１，１１２の幅が狭くなる。この場合、必要な発電特性を得るためには、導体セグメント１１０，１１５の収容部１１１，１１２，１１６，１１７の厚さを大きくし、スロット１２１の深さを深くすることが必要となる。それでは、ステータコア１２０ひいてはステータの半径方向長さが増加する。
【００１０】
本発明は上記事情に鑑みてなされたもので、従来と同等の発電特性を持ちながら、スロットの半径方向長さ（深さ）が減少され、それによってステータコアの外径が小さくできる、回転電機のステータを提供することを目的とする。
【００１１】
【課題を解決するための手段】
本願の発明者はステータコイルが複数の導体セグメントから成るステータにおいて、発電特性を低下させることなくステータコアのスロットの深さを減少させる方策について研究した。その結果、スロットの開口側と奥側とで円周方向長さ（幅）を異ならせ、それに対応して導体セグメントの収容部の断面形状を変えることを思い付い付いて、本発明を完成した。
【００１２】
本願の第１発明に係るステータは、請求項１に記載したように、環状部と、環状部の内周面から内向きに突出し複数のスロットを区画する複数の歯部とを有するステータコアと；一端のＵ字形状のターン部、他端の一対の接合部、及びスロットに収容された中間の一対の収容部とを含み松葉形状を有する複数本の導体セグメントと；から成る回転電機のステータにおいて、各スロットの奥側の円周方向長さは開口側の円周方向長さよりも長く、奥側の収容部及び開口側の収容部の幅はスロットの円周方向長さに対応していることを特徴とする。
【００１３】
このステータにおいて、スロットはその奥側に、厚さが小さい断面形状の収容部を持つ導体セグメントを収容するのに適している。請求項２のステータは、請求項２において、各前記歯部の円周方向長さは、先端側から根本側にかけて一定とされている。
【００１４】
第２発明に係るステータは、請求項３に記載したように、環状部と、環状部の内周面から内向きに突出し複数のスロットを区画する複数の歯部とを有するステータコアと；一端のＵ字形状のターン部、他端の一対の接合部、及びスロットに収容された中間の一対の収容部を含み松葉形状を有する複数本の導体セグメントと；から成る回転電機のステータにおいて、スロットの奥側の収容部の厚さは開口側の収容部の厚さよりも短く、スロットの半径方向長さは最奥部の収容部に対応していることを特徴とする。
【００１５】
このステータにおいて、スロットの奥側の導体セグメントの収容部は短い厚さを持つ、即ち全体的に幅方向に細長い断面形状を持つ。よって、厚さが薄い分スロットの奥側の深さを浅くすることができる。
【００１６】
請求項４のステータコアは、請求項３において、スロットの奥側の収容部の幅は開口側の収容部の幅よりも長い。請求項５のステータコアは請求項４において、スロット内で隣接する２つの収容部毎に同じ断面正方形状又は断面矩形状を持つ。請求項６のステータコアは、請求項５において、最も開口側の導体セグメントの２つの収容部は断面正方形状で、それ以外の導体セグメントの２つの収容部は幅が厚さよりも長い断面矩形状を持つ。
【００１７】
請求項７のステータコアは、請求項５において、開口側の第１導体セグメントの２つの収容部と奥側の第２導体セグメントの２つの収容部とが同じ断面矩形状を持ち、第１導体セグメントの収容部はその長辺がスロットの半径方向を向き、第２導体セグメントの収容部はその長辺が円周方向を向いている。請求項８のステータコアは、請求項６又は７において複数の収容部は全て同じ断面積を持つ。
【００１８】
【発明の実施の形態】
＜回転電機、ステータ＞
本発明の回転電機は交流モータや交流発電機を含む。例えば交流発電機はハウジング、ステータ、及びロータ等を含む。ステータのステータコアの歯部及びスロットの複数は相数により決まる。たとえば三相の場合３の倍数である。
＜ステータコア、ステータコイル＞
ステータはステータコアとステータコイルとを含む。ステータコアの複数の歯部及び複数のスロットは全て同じ形状とし、スロットの幅は開口側（内周側）が狭く、奥側（外周側）が広いことが望ましい。このようにすれば、隣接するスロット間の歯部の幅は半径方向全体においてほぼ一定となる。ステータコイルはスロット内に収容された複数の導体セグメントから成る。
＜導体セグメント＞
各導体セグメントは全体として松葉形状を持ち、長手方向で一端のＵ字形状のターン部と、これに連なる中間の一対の収容部と、これに連なる他端の一対の接合部とを含む。収容部がステータコアの異なるスロットに収容され、ターン部が一端面から軸方向に突出し、接合部が他端面から突出している。
▲１▼導体セグメント、収容部の個数
各導体セグメントの一方の収容部と他方の収容部とは円周方向に離れたスロットに収容される。その結果、各スロットには４本の導体セグメントのそれぞれ一方又は他方の収容部即ち４つの収容部、又は８本の導体セグメントのそれぞれ一方又は他方の収容部、即ち８つの収容部が収容される。
▲２▼収容部の断面形状
スロットの開口側の収容部の断面形状は、正方形、厚さが幅よりも大きい（幅が厚さよりも小さい）矩形状、又は幅が厚さよりも大きい（厚さが幅よりも小さい）矩形状の何れでも良い。スロットの奥側の収容部の断面形状は、正方形又は幅が厚さよりも大きい（厚さが幅よりも小さい）矩形状の何れでも良い。
【００１９】
収容部の幅及び／又は厚さは１つづつ異なっても良いし、２つ毎に異なっても良い。前者の場合、導体セグメントの２つの収納部は異なる断面形状を持つことになる。後者については実施例で説明する。収容部の幅はスロットの当該収容部が収容される部分の幅に対応させる。これにより、収容部の外側面がスロットの内側面に近接することになる。
【００２０】
各スロット内の全ての収容部の断面積は同じであること（第１タイプ）が望ましいが、異なっても（第２タイプ）良い。第１タイプの場合、スロットの奥側に進むにつれて収容部の断面形状は幅が厚さよりも大きい矩形状となり、開口側に進むにつれて正方形に近い形状となる。第２タイプの場合、例えば図８に示すように、スロット１１０内への複数の収容部１０１，１０２，１０６及び１０７の厚さを同じにして、幅を開口側の収容部１０１から奥側の収容部１０７に向かって漸増させれば良い。
【００２１】
第１タイプの収容部の場合、同じ形状、長さの素材を異なる方向に２つの方向に曲げることにより奥側の導体セグメントと開口側の導体セグメントを形成することができる。
▲３▼接合部
各導体セグメントは２つの接合部を前方にして２つの収容部は２つの異なるスロット内に軸方向から挿入され、その後接合部が円周方向で互いに反対方向に屈曲される。屈曲した一方の接合部は、上記スロットから第１円周方向に所定ピッチ離れたスロット内に収容された収容部の屈曲した接合部と接合される。屈曲した他方の接合部は、上記スロットから第２円周方向に所定ピッチ離れたスロット内に収容された収容部の屈曲した接合部と接合される。
【００２２】
【実施例】
以下、本発明の実施例を添付図面を参照しつつ説明する。
＜第１実施例＞
図１から図４に第１実施例を示す。これは、本発明が三相交流発電機であるオルタネータのステータに適用され、導体セグメントの数が２本の場合である。
（構成）
図１に示すように、オルタネータはハウジング１０、ハウジングに固定されたステータ２０、ハウジング１０に回転可能に支持された回転軸１２に取り付けられたロータ１６及び整流器（不図示）からなる。ロータ１６はロータコイル１７とロータコア１８とを含む。
【００２３】
図１及び図２に示すように、ステータ２０はステータコア２１と、複数本の導体セグメント３０，４０を接合して成るステータコイル４９とを含む。このうち、ステータコア２１は複数の鋼板を積層して成り、環状部（ヨーク）２２と、その内周面に円周方向で一定間隔で形成され、内向きに突出している複数の歯部（ティース部）２３とを含む。歯部２３の幅（円周方向長さ）は先端部（図２で下端部）２３ａから根本部２３ｂにかけてほぼ一定である。
【００２４】
その結果、隣接する歯部２３により区画されるスロット２６の幅は開口側（図２で下方側）２６ａが最少で、奥側２６ｂで最大で、その間は漸増している。尚、歯部２３の先端部２３ａには円周方向長さが大きい幅広部２３ｃが形成され、これに対応してスロット２６の開口側２６ａには幅狭部２６ｃが形成されているスロット２６には絶縁体２８を介して第１，第２，第３及び第４の導体セグメント３０，４０，１３０及び１４０の一方（左方）又は他方（右方）の収容部、即ち４つの収容部３３，４４，１３３及び１４４が収容されている。次に、導体セグメント３０、４０等について説明する。
【００２５】
図３に示すように、第１導体セグメント３０は全体として松葉形状を有し、長手方向一端のＵ字形状のターン部３１と、これに連なる中間部の一対の収容部３３，３４と、これに連なる他端の一対の接合部３６、３７とを含む。左方の収容部３３及び右方の収容部３４の断面形状はほぼ正方形である（図２参照）。尚、第２導体セグメント４０は第１導体セグメント３０と全く同じ構成を持ち、ターン部４１、一対の収容部４３，４４、及び一対の接合部４６、４７を含む。
【００２６】
一方第３導体セグメント１３０は第１導体セグメント３０と同じ形状を有し、一端のＵ字形状のターン部と、これに連なる中間部の一対の収容部１３３等と、これに連なる他端の一対の接合部とを含む。ただし、図２から明らかなように、左方の収容部１３３等の断面形状が第１導体セグメント３０の収容部３３等の断面形状とは異なり、幅が厚さよりも大きい矩形状である。幅はスロット２６の対応する部分の幅と同じである。なお、収容部３３等と収容部１３３等との断面積は同じである。
【００２７】
第４導体セグメント１４０は第２導体セグメント４０と全く同じ構成を持ち、ターン部、一対の収容部１４３等及び一対の接合部を含む。
【００２８】
第１導体セグメント３０の左方の収容部３３はスロット２６に、右方の収容部３４はスロット２６から３つの右方向に離れたスロット２２６に収容されている。また、第２導体セグメント４０の左方の収容部４３はスロット２６から左方に３つ離れたスロット１２６に、右方の収容部４４はスロット２６に収容されている。
【００２９】
以上の説明から明らかなように、図２及び図４において、特定のスロット２６に左方の収容部３３，１３３が収容されている導体セグメントを第１導体セグメント３０及び第３導体セグメント１３０と呼び、右方の収容部４４，１４４が収容されている導体セグメントを第２導体セグメント４０及び第４導体セグメント１４０と呼ぶ。ここで、第１導体セグメント３０と第３導体セグメント１３０とに関し、収容部３３が開口側にある方が第１導体セグメント３０で、収容部１３３が奥側にある方が第３導体セグメント１３０とする。第２導体セグメント４０と第４導体セグメント１４０とに関しても同様で、収容部４４が開口側にある方が第２導体セグメント４０で、収容部１４４が奥側にある方が第４導体セグメント１４０とする。
【００３０】
尚、図４ではスロット２６の開口側にある第１導体セグメント３０及び第２導体セグメント４０のみ図示し、奥側にある第３導体セグメント１３０及び第４導体セグメント１４０は図示を省略している。第３導体セグメント１３０は第１導体セグメント３０の背後（図４において紙面の裏側）に位置し、第４導体セグメント１４０は第２導体セグメント４０の背後に位置している。
【００３１】
図２から明らかなように、第１導体セグメント３０の左方の収容部３３がスロット２６の最も開口側２６ａに、第２導体セグメント４０が右方の収容部４４が開口から２番目に収容されている。第４導体セグメント１４０の右方の収容部１４４がスロット２６の最奥側２６ｂに収容され、第３導体セグメント１３０の左方の収容部１３３が奥側から２番目に収容されている。これから明らかなように、４つの収容部３３，４４と収容部１３３及び１４４の断面形状は２つ毎に異なる。
【００３２】
図４に示すように、第１導体セグメント３０の左方の接合部３６は第１円周方向（図４において左方向）に屈曲され、より左方の第１導体セグメント（不図示）のスロット２６から左方に３つ離れたスロット１２６内に収容された右方の接合部３７に接合されている。スロット２２６内の右方の接合部３７は右方向に屈曲されている。第２導体セグメント４０の左方の接合部４６は左方向に屈曲されている。右方の接合部４７は右方に屈曲され、より右方の第２導体セグメント（不図示）の左方の接合部４６に接合されている。
【００３３】
以上の事情は第３導体セグメント１３０の左方の接合部１３３及び右方の接合部１３４と、第４導体セグメント１４０の左方の接合部１４３及び右方の接合部１４４とについても同様である。
（作用効果）
以上の構成を持つオルタネータの作動は基本的に従来例と同じであるので、説明を割愛する。
【００３４】
ステータ２０の効果は以下の通りである。先ず、ステータコア２１のスロット２６の開口側２６ａと奥側２６ｂとで幅が異なる。これに対応して、開口側２６ａの第１導体セグメント３０の収容部３３及び第２導体セグメント４０の収容部４４は断面正方形であるが、奥側２６ｂの第３導体セグメント１３０の収容部１３３及び第４導体セグメント１４０の収容部１４４の断面形状は厚さが幅よりも小さく、円周方向に細長い矩形状である。
【００３５】
その結果、収容部１３３、１４４の断面形状も正方形した場合に比べて、スロット２６の深さを浅くでき、ステータコア２１の外径を小さくできる。しかも、断面矩形状の収容部１３３，１４４の断面積は断面正方形の収容部３３，４４の断面積と同じである。よって、ステータは収容部１３３、１４４の断面形状が正方形の場合と同様の発電特性を持つことができる。
【００３６】
また、ステータコア２１の歯部２３の幅が先端部２３ａから根本部２３ｂまでほぼ均一である。見方を変えれば、先端部２３ａの幅が、図９に示した従来例の歯部の先端部の幅よりも大きくなっている。これは、スロット２６の開口側２６ａの収容部３３，４４の幅を奥側２６ｂの収容部１３３，１４４の幅よりも小さくしたことによる。歯部２３の先端部２３ａの幅が広くなり、磁気回路の形成上好都合である。
＜第２実施例＞
第２実施例を図５及び図６を参照しつつ説明する。第２実施例は、スロット２６の開口側２６ａの第１及び第２導体セグメント５０の収容部５２、５３と、奥側２６ｂの第３及び第４導体セグメント５５の収容部５７、５８とが同じ断面形状を持つ（但し、向きは異なる）点が、第１実施例とは異なる。
【００３７】
詳述すると、収容部５２、５３は厚さが幅よりも大きく半径方向に細長い断面矩形状を持つが、収容部５７、５８は幅が厚さよりも大きく円周方向に細長い断面矩形状を持つ。収容部５２、５３と収容部５７、５８とは長辺及び短辺の長さが等しく、従って面積も等しい。
【００３８】
第１及び第２導体セグメント５０と第３及び第４導体セグメント５５とは同じ素材から製作された。図６に示すように、断面矩形状で所定長さを持つ素材６０の両端部６１、６２を矢印Ａで示す幅方向に変形させると第１及び第２導体セグメント５０が得られる。これに対して、両端部６１、６２を矢印Ｂで示す高さ向に変形させると第３及び第４導体セグメント５５が得られる。
【００３９】
第２実施例によれば、第１実施例の効果に加えて、第１及び第２導体セグメント５０並びに第３及び第４導体セグメント５５の製作コストが低減できる効果が得られる。
＜第３実施例＞
図７に示す第３実施例は、比較的作動電圧が高いステータコア６５に適用され、１つのスロット６６に４本の導体セグメント７０、７４、７８及び８２即ち８つの収容部７１、７２、７５、７６、７９、８０、８３及び８４が収容されている点が、第１実施例とは異なる。
【００４０】
最も開口側の第１及び第２導体セグメント７０の収容部７１、７２の断面形状はほぼ正方形であり、２番目の第３及び第４導体セグメント７４の収容部７５、７６の断面形状は幅が厚さよりも少し大きい矩形状である。開口側から３番目の第５及び第６導体セグメント７８の収容部７９、８０の断面形状は幅が厚さよりも相当大きい矩形状であり、最も奥側の第７及び第８導体セグメント８２の収容部８３、８４の断面形状は幅が厚さよりも遙かに大きい矩形状である。このように、８つの収容部７１から８４は２つ毎に断面形状が異なる。但し、四種類の収容部７１等、７５等、７９等及び８３等の断面積は全て等しい。
【００４１】
第３実施例によれば、上記第１実施例の効果に加えて、ステータコア６５の長さが大きく、各スロット６６内に８本の導体セグメント７０、７４、７８及び８２の一方又は他方の収容部７１から８４が収容されているので、第１実施例等と比較してより大きな発電特性が得られる。
【００４２】
尚、上記第１実施例と同じ内径及び外径を持つステータコア２１に８本の導体セグメント７０から８２を収容する場合は、各収容部７１から８４の断面積を第１実施例の導体セグメント３０，４０、１３０及び１４０の収容部３３，４４，１３３及び１４４等の断面積よりも小さくすれば良い。
【００４３】
【発明の効果】
以上述べてきたように、第１発明及び第２発明にかかる回転電機のステータによれば、導体セグメントが収容されるスロットの深さを従来例よりも浅くできるので、ステータコアの外径ひいてはステータの大きさを小さくできる。しかも、浅いスロットの奥側の幅を広くし、この部分に収容される導体セグメントの収容部の断面形状を幅が厚さよりも長い矩形状にすれば、従来例と同等の発電特性を得ることができる。
【００４４】
請求項２のステータによれば、歯部の先端部の幅が大きくなり、磁気回路の形成上好都合である。請求項４のステータによれば、スロットの奥側の接合部の発電特性の低下を防止することができる。請求項５のステータによれば、所望の断面形状の２つの接合部が１本の導体セグメントにより製作できる。
【００４５】
請求項６のステータによれば、ステータコアのスロットが接合部の収容に適した形状となるとともに歯部がスロット及び磁気回路の形成に適した形状となる。請求項７のステータによれば、２本の導体セグメントの製作が容易になる。請求項８のステータによれば、全ての導体セグメントの発電特性を同等にできる。
【図面の簡単な説明】
【図１】本発明の第１実施例を含むオルタネータの要部を示す縦断面図である。
【図２】図１における２−２断面図である。
【図３】図２における導体セグメントの正面図である。
【図４】第１実施例における各スロット内の導体セグメントの接合関係を説明するために、ステータコアの内周面を帯状に広げて示す説明図である。
【図５】本発明の第２実施例を示す、上記図２に相当する断面図である。
【図６】第２実施例の導体セグメントを素材から製作する方法を示す説明図である。
【図７】本発明の第３実施例を示す、上記図２に相当する断面図である。
【図８】本発明の収容部の実施の形態を示す断面図である
【図９】従来例を示す要部断面図である。
【符号の説明】
１０：ハウジング                    １６：ロータ
２０：ステータ                      ２１：ステータコア
２２：環状部                        ２３：歯部
２６：スロット                      ３０：第１導体セグメント
３１：Ｕターン部                    ３３，３４：収容部
３６，３７：接合部                  ４０：第２導体セグメント
４１：Ｕターン部                    ４３，４４：収容部
４６，４７：接合部                                    ４９：ステータコイル
【図１】
2004159460.tif 000003
【図２】
2004159460.tif 000004
【図３】
2004159460.tif 000005
【図４】
2004159460.tif 000006
【図５】
2004159460.tif 000007
【図６】
2004159460.tif 000008
【図７】
2004159460.tif 000009
【図８】
2004159460.tif 000010
【図９】
2004159460.tif 000011